(57)【特許請求の範囲】
【請求項１】
シートスルータイプの自動原稿搬送装置を搭載しているファクシミリ装置において、
原稿画像を読み取って画像データを取得する画像読取手段と、
この画像読取手段で原稿画像を読み取っている際、入力ラインを監視することにより、所定の回転基準を超えているか否かを判断する回転基準判断手段と、  画像データを圧縮する圧縮手段と、
画像データを蓄積する画像データ蓄積手段と、を備え、
前記画像読取手段により、蓄積したい副走査解像度の２倍の解像度で画像データを読み取ると共に、
前記回転基準判断手段により、所定の回転基準を超えていると判断されたとき、画像データを１ラインずつ間引いて前記圧縮手段に転送し、前記圧縮手段により画像データを圧縮し、圧縮された画像データを画像データ蓄積手段に蓄積し、
前記回転基準判断手段により、所定の回転基準を超えていないと判断されたとき、画像データに回転処理を行った後、回転後の副走査が前記蓄積したい副走査解像度になるように間引いて、前記圧縮手段により画像データを圧縮し、圧縮された画像データを画像データ蓄積手段に蓄積することを特徴とするファクシミリ装置。
【請求項２】
自動原稿搬送装置を搭載しているファクシミリにおいて、
自動原稿搬送装置がシートスルータイプのものか、通常のタイプのものかを識別する識別手段と、
原稿画像を読み取って画像データを取得する画像読取手段と、
この画像読取手段で原稿画像を読み取っている際、入力ラインを監視することにより、所定の回転基準を超えているか否かを判断する回転基準判断手段と、
画像データを圧縮する圧縮手段と、
画像データを蓄積する画像データ蓄積手段と、を備え、
前記画像読取手段により、蓄積したい副走査解像度の２倍の解像度で画像データを読み取ると共に、
前記識別手段による識別の結果、自動原稿搬送装置がシートスルータイプのものであった場合、
前記回転基準判断手段により、所定の回転基準を超えていると判断されたとき、画像データを１ラインずつ間引いて前記圧縮手段に転送し、前記圧縮手段により画像データを圧縮し、圧縮された画像データを画像データ蓄積手段に蓄積し、
前記回転基準判断手段により、所定の回転基準を超えていないと判断されたとき、画像データに回転処理を行った後、回転後の副走査が前記蓄積したい副走査解像度になるように間引いて、前記圧縮手段により画像データを圧縮し、圧縮された画像データを画像データ蓄積手段に蓄積することを特徴とするファクシミリ装置。
【発明の詳細な説明】
【０００１】
【発明の属する技術分野】
本発明は、画像データの蓄積を短時間で行うことができるファクシミリ装置に関する。
【０００２】
【従来の技術】
近年、コピー機などの画像形成装置で、多量の原稿を複写する際、人手によらず原稿を自動送りできるＡＤＦ（自動原稿搬送装置）が広く用いられようになっている。通常のコピー装置で使用しているＡＤＦでは、ＡＤＦからコンタクトガラスに原稿を搬送している際に、原稿幅／原稿長を認識し、回転蓄積を行う必要があるか否かをスキャンする前に判定できるようになっている。
そして、回転をしない場合は、スキャナから直接圧縮機に画像データを転送し、メモリに圧縮画像データを出力する。一方、回転をする場合は、スキャナからメモリに画像データを転送した後に、回転処理を行い、メモリから圧縮機に画像データを転送し、さらに圧縮画をメモリに再度出力するようになっている。
【０００３】
ところで、ファクシミリ装置などで用いられているシートスルータイプのＡＤＦの場合は、スキャンする前に原稿幅しか認識することができないので、メモリに画像データの転送が終了した後に、原稿長から回転処理を行うか否かを判断していた。そして、回転処理が必要ならば、通常のＡＤＦと同じく回転処理を行い、メモリから圧縮機に画像データを転送後、再度メモリに出力する。一方、回転処理が不要な場合は、メモリから圧縮機に画像データを転送後再度メモリに出力することになる。
従って、回転処理をしない場合のスキャナからの蓄積時間は通常ＡＤＦに比べて時間がかかることになっていた。
【０００４】
【発明が解決しようとする課題】
そのため、シートスルー原稿台にセンサを取り付けて、原稿のスキャンを行う前に原稿長を知る手段を設けて、通常のＡＤＦのような回転判断を行う、例えば、ファクシミリ装置などの画像形成装置が提案されている。
しかしながら、センサから原稿が浮いていたり、手でセンサーを塞いでしまったりといった原因で、サイズ認識が間違った場合には誤って回転処理をするか否かを判断してしまうことがあった。
また、回転を行う読み取りが続く場合、回転処理部、圧縮機、メモリの間はスキャナが未使用なのに次原稿の読み取りを行っていないため生産性が落ちている。
【０００５】
そこで、本発明の第１の目的は、入力ラインを監視することにより、所定の回転基準を超えているか否かを判断することより、画像データの蓄積時間を短縮したファクシミリ装置を提供することである。
また、本発明の第２の目的は、ＡＤＦのタイプに応じて蓄積処理の手順を変更することで、ユーザーがＡＤＦを交換しても画像データの蓄積時間を短縮することができるファクシミリ装置を提供することである。
本発明の第３の目的は、原稿のサイズ認識を誤った場合でも、読み取り終了後に再度回転処理をする／しない判断を行い、これを訂正することができるファクシミリ装置を提供することである。
本発明の第４の目的は、回転処理中に次原稿の読み取り動作を開始でき、迅速に処理を行えるファクシミリ装置を提供することである。
【０００６】
【課題を解決するための手段】
請求項１にかかる発明は、シートスルータイプの自動原稿搬送装置を搭載しているファクシミリ装置において、原稿画像を読み取って画像データを取得する画像読取手段と、
この画像読取手段で原稿画像を読み取っている際、入力ラインを監視することにより、所定の回転基準を超えているか否かを判断する回転基準判断手段と、画像データを圧縮する圧縮手段と、画像データを蓄積する画像データ蓄積手段と、を備え、前記画像読取手段により、蓄積したい副走査解像度の２倍の解像度で画像データを読み取ると共に、前記回転基準判断手段により、所定の回転基準を超えていると判断されたとき、画像データを１ラインずつ間引いて前記圧縮手段に転送し、前記圧縮手段により画像データを圧縮し、圧縮された画像データを画像データ蓄積手段に蓄積し、前記回転基準判断手段により、所定の回転基準を超えていないと判断されたとき、画像データに回転処理を行った後、回転後の副走査が前記蓄積したい副走査解像度になるように間引いて、前記圧縮手段により画像データを圧縮し、圧縮された画像データを画像データ蓄積手段に蓄積することを特徴とする。
【０００７】
請求項２に係る発明は、自動原稿搬送装置を搭載しているファクシミリにおいて、自動原稿搬送装置がシートスルータイプのものか、通常のタイプのものかを識別する識別手段と、原稿画像を読み取って画像データを取得する画像読取手段と、この画像読取手段で原稿画像を読み取っている際、入力ラインを監視することにより、所定の回転基準を超えているか否かを判断する回転基準判断手段と、画像データを圧縮する圧縮手段と、画像データを蓄積する画像データ蓄積手段と、を備え、前記画像読取手段により、蓄積したい副走査解像度の２倍の解像度で画像データを読み取ると共に、前記識別手段による識別の結果、自動原稿搬送装置がシートスルータイプのものであった場合、前記回転基準判断手段により、所定の回転基準を超えていると判断されたとき、画像データを１ラインずつ間引いて前記圧縮手段に転送し、前記圧縮手段により画像データを圧縮し、圧縮された画像データを画像データ蓄積手段に蓄積し、前記回転基準判断手段により、所定の回転基準を超えていないと判断されたとき、画像データに回転処理を行った後、回転後の副走査が前記蓄積したい副走査解像度になるように間引いて、前記圧縮手段により画像データを圧縮し、圧縮された画像データを画像データ蓄積手段に蓄積することを特徴とする。
【０００８】
請求項３にかかる発明は、請求項１記載の発明において、シートスルータイプの自動原稿搬送装置の原稿台に原稿の長さを検知するセンサと、このセンサによる検知に基づき、回転蓄積するか否かの判断を前記画像読取手段による読み取り前に行う事前判断手段と、を備え、この事前判断手段の判断と回転基準判断手段との判断を比較し、判断が一致した場合、その判断により、判断が相違した場合、回転基準判断手段の判断に従って処理を行うことことを特徴とする。
【０００９】
請求項４に係る発明は、請求項１、請求項２または請求項３記載の発明において、画像データに回転処理を行っているときに、前記画像読取手段により原稿画像を読み取る動作を並行して行うことを特徴とする。
【００１０】
【発明の実施の形態】
以下、本発明の好適な実施の形態を図１ないし図７を参照して詳細に説明する。
図１は、本実施の形態に係るファクシミリ機能を備えたディジタル複合機の外観を示した図であり、図２は、構成を示したブロック図である。
このディジタル複合機１は、原稿のイメージを読み取るとともに、この読み取り動作で得られた画像情報を処理して、印刷処理、ファクシミリ送信処理、ファクシミリ受信処理などを行うディジタル複合機本体２と、このディジタル複合機本体２上に搭載され、読み取り対象となる原稿がセットされた状態で、操作パネル３上のスタートキーが操作されたとき、セットされている原稿を１枚ずつ取り込む自動原稿搬送装置４を備えている。
この自動原稿搬送装置４により原稿を１枚ずつ取り込みながら、ディジタル複合機２により、原稿のイメージを読み取り、これにより得られた画像情報に対して回転処理、圧縮処理、印刷処理、ファクシミリ送信処理、などのうち指定された処理を行うようになっている。
【００１１】
このディジタル複合機の内部には、図２に示すように、ディジタル複合機１の装置全体の動作を制御する主制御部１０と、操作パネル３上にデータを表示したり、前記操作パネルの操作内容に対応する各種の指令、データを生成する操作表示部１１と、前記自動原稿搬送装置４の動作を制御するＡＤＦ制御部１７と、前記操作表示部１１から入力された宛先に関する送信条件を判断する条件設定部１８と、この条件設定部１８で設定された送信条件などを記憶する条件・宛先記憶部１３と、前記主制御部１０の制御の下に前記原稿搬送装置４により送りこまれた原稿のイメージを読み取って画像情報を生成するスキャナ部１４と、前記自動搬送装置４の上に原稿があるのか否かを判断する原稿位置判断部２１が設けられている。
【００１２】
さらに、前記ディジタル複写機本体２の内部には、原稿サイズを判断する原稿サイズ判断部２２と、前記スキャナ部１４で得られた画像データを蓄積する画像情報蓄積メモリ１２と、画像情報の一時格納エリアとなるページメモリ１６と、前記主制御部１０からの指示に基づき、ページメモリ１６を作業エリアとして使用しながら、スキャナ部１４で得られて画像情報の主走査方向と副走査方向とを入れ換え回転制御部１５と、通信回線を介して相手先のファクシミリ装置と通信を行う通信制御部１９と、主制御部１０から印刷指示が出されたとき、ページメモリ１６を作業エリアとして使用しながら、画像情報を用紙上に印刷するプロッタ部２０とが設けられている。
【００１３】
図３は、第１の実施の形態の処理の手順を示したフローチャートである。
まず、Ａ４横原稿をｓｔｄ（２００×１００ｄｐｉ相当）モードで蓄積する場合には、原稿幅は予めわかっている。そして、２００×２００ｄｐｉで原稿の読み取りを開始する（ステップ１０）。この読み取り中に（ステップ１１；Ｎ）、回転基準入力ライン数（この場合仮に１７００ライン）以上の入力があるかどうかを定期的に監視する（ステップ１２）。
この監視の結果、基準ラインを超えた場合には（ステップ１３；Ｙ）、入力された画を１ラインずつ間引いて圧縮機に転送し（ステップ１４）、別メモリに出力し終了する（ステップ１５、ステップ１７）。
【００１４】
一方、基準ラインを超えずに読み取りが終了した場合（ステップ１３；Ｎ、ステップ１１；Ｙ）、ｎ×ｎのマトリックスに画像データを分割し回転機で回転処理を行う（ステップ１６）。
そして、回転後の副走査が１００ｄｐｉになるように間引いて圧縮機に転送し、別メモリに出力し終了する（ステップ１７）。
【００１５】
次に、第２の実施の形態の処理の手順を図４のフローチャートを参照して説明する。まず、原稿の読み取りを開始し（ステップ２０）、ＡＤＦが通常タイプのＡＤＦかシートスルータイプか判断する（ステップ２１）。そして、通常のタイプのＡＤＦならば（ステップ２１；Ｙ）、なら既存の方法で蓄積を行う（ステップ２２）。一方、シートスルータイプの場合（ステップ２１；Ｎ）、前記した第１の実施の形態と同様の手順で処理を行う（ステップ２３〜ステップ２９）。
【００１６】
続いて、第３の実施の形態の処理の手順を図５、図６のフローチャートを参照して説明する。予め原稿サイズによって制御を決める手段において、回転する必要がないのに回転手順に移行した場合、ｓｔｄを１００×１００ｄｐｉで読んだとき、読み取り終了後（ステップ３０）、回転基準ラインを超えているか否かを判断し（ステップ３１）、超えていることを認識した場合（ステップ３１；Ｙ）、回転する必要がないの回転したこととなるので、主走査拡張及びライン間引きの調整を行いながら圧縮を開始する（ステップ３２）。また、回転基準ラインを超えているか否かを判断し（ステップ３１）、超えていないことを認識した場合（ステップ３１；Ｎ）、回転圧縮処理を行う（ステップ３３）。
【００１７】
一方、回転する必要があるのに回転しなかった場合、ｓｔｄを２００×１００ｄｐｉで読んだき、ライン数が回転基準を満たしていたことを認識し（ステップ４１；Ｙ）、伸長処理を行い（ステップ４２）、主走査縮小及びライン拡大の調整を行いながら再圧縮を開始する（ステップ４３）。
【００１８】
次に、第４の実施の形態の処理を図７を参照して説明する。通常のＡＤＦや読み取り開始前に原稿サイズがわかるシートスルーＡＤＦでは、１枚目の画像データが、回転処理、圧縮機、メモリのパスを通過している（ステップ５０）。そして、２枚目も（ステップ５１；Ｙ）、回転する原稿である場合（ステップ５４；Ｙ）、メモリの中で１ページに使われていない領域を２枚目に割り当てる。そして、２枚目スキャナ起動する（ステップ５５）。その後、１枚目圧縮終了したなら２枚目の回転／圧縮を開始する（ステップ５６）。
また、２枚目は回転する原稿でない場合（ステップ５４；Ｎ）、ステップ５７〜ステップ５９の処理を行い、次ページがなくなるまで、処理を行う（ステップ５１；Ｎ）。
【００１９】
【発明の効果】
請求項１記載の発明では、読み取っている最中に回転不要と判断できるので、読み取り終了を待たず蓄積処理を開始でき、蓄積時間を短くすることが可能となる。
請求項２記載の発明では、ＡＤＦのタイプによって蓄積処理手段を変えることができるので、ユーザーがＡＤＦを交換しても適切な処理が可能となり、通常のＡＤＦを使用した場合、蓄積時間に余計な時間がかからなくなる。
【００２０】
請求項３記載の発明では、シートスルータイプのＡＤＦで原稿台にセンサーがついている場合、長さ方向のセンサーが壊れていたり、原稿が浮いていたり、手でセンサーを塞いでしまったりといった要因でサイズ認識が間違った場合でも、読み取り終了後に再度回転する／しないの判断ができるので、ファクシミリ装置の信頼性がた高まる。
請求項４記載の発明では、回転処理中に次原稿の読み取り動作を開始できるのでファクシミリ装置での処理が迅速に行える。
【図面の簡単な説明】
【図１】本実施の形態に係るディジタル複合機の外観を示した図である。
【図２】本実施の形態に係るファクシミリ装置の構成を示したブロック図である。
【図３】第１の実施の形態の処理手順を示したフローチャートである。
【図４】第２の実施の形態の処理手順を示したフローチャートである。
【図５】第３の実施の形態の処理手順を示したフローチャートである。
【図６】第３の実施の形態の処理手順を示したフローチャートである。
【図７】第４の実施の形態の処理手順を示したフローチャートである。
【符号の説明】
１  ディジタル複合機
２  ディジタル複合機本体
３  操作パネル
４  自動原稿搬送装置（ＡＤＦ）
１０  主制御部
１１  操作表示部
１２  画像情報蓄積メモリ
１３  条件・宛先記憶部
１４  スキャナ部
１５  回転制御部
１６  ページメモリ
１７  ＡＤＦ制御部
１８  条件設定部
１９  通信制御部
２０  プロッタ部
２１  原稿位置判断部
２２  原稿サイズ判断部
【図１】
0003657122.tif 000002
【図２】
0003657122.tif 000003
【図３】
0003657122.tif 000004
【図４】
0003657122.tif 000005
【図５】
0003657122.tif 000006
【図６】
0003657122.tif 000007
【図７】
0003657122.tif 000008